(57)【要約】【課題】  メニュー項目を選択や決定する際に、操作者に煩わしさや負担を与えることを防止することができ、利便性や操作性を向上することができる車両用ナビゲーション装置を提供する。【解決手段】  メニュー項目の選択操作または決定操作がされた場合に、該メニュー項目に割り当てられた音声データを音声出力装置に出力する手段を有するナビゲーション装置である。前記メニュー項目の選択操作に対する音声出力の最中または該音声出力の終了後所定時間以内に前記メニュー項目の決定操作が行われた場合には（ステップＳ１８、２０）、前記メニュー項目の決定操作に対する音声出力を禁止する（ステップＳ２６）。【選択図】    図２
2005055367.tif 000002
【特許請求の範囲】
【請求項１】
メニュー項目の選択操作または決定操作がされた時に、該メニュー項目に割り当てられた音声データを音声出力装置に出力する手段を有するナビゲーション装置において、
前記メニュー項目の選択操作に対する音声出力中または該音声出力の終了後所定時間以内に前記メニュー項目の決定操作が行われた場合には、前記メニュー項目の決定操作に対する音声出力を禁止することを特徴とする車両用ナビゲーション装置。
【請求項２】
メニュー項目の選択操作または決定操作がされた時に、該メニュー項目に割り当てられた音声データを音声出力装置に出力する手段と、該メニュー項目に割り当てられた画像データを表示装置に出力する手段とを有し、前記メニュー項目の決定操作がされた時には前記音声データを前記音声出力装置に出力すると共に前記メニュー項目の画面に遷移するナビゲーション装置において、
前記メニュー項目の選択操作がされてから所定時間以上経過した後に前記メニュー項目の決定操作が行われた場合には、前記メニュー項目の決定操作による画面遷移を行わずに前記メニュー項目に割り当てられた前記音声データの音声出力のみを行い、
前記メニュー項目の選択操作がされてから所定時間内に前記メニュー項目の決定操作が行われた場合には、前記メニュー項目の画面遷移のみを行うことを特徴とする車両用ナビゲーション装置。
【発明の詳細な説明】
【技術分野】
【０００１】
本発明は、音声出力可能な車両用ナビゲーション装置に関するものである。
【背景技術】
【０００２】
この種の技術としては、メニュー項目を選択すると音声出力する音声フィードバック可能なナビゲーション装置に関する技術が開示されている（特許文献１参照）。
また、単動操作（一度の操作で完了する操作）によって、スイッチが操作された時には直ちに音声出力を行い、複動操作（複数の操作で完了する操作）によって操作された時には所定時間経過後に音声出力する音声案内装置も開示されている（特許文献２参照）。
【特許文献１】特許第２８４０３３２号公報
【特許文献２】特許第３２６５９５１号公報
【発明の開示】
【発明が解決しようとする課題】
【０００３】
しかしながら、従来のナビゲーション装置には以下のような問題がある。すなわち、操作者がメニュー項目の選択や決定の操作を短時間で連続して行った場合には、選択と決定のそれぞれの操作に対して連続して同じ内容の音声が出力されてしまう。このため、操作者に煩わしさを与えてしまい利便性が損なわれるという問題がある。
【０００４】
また、車両の運転状態によっては、操作者が一旦メニュー項目の選択操作を行っても、すぐにはメニュー項目の決定操作を行わないまたは行えない場合もある。このような場合に操作者が決定操作を行うときには、選択されたメニュー項目の音声出力がされてから所定時間以上経過してしまっているので、操作者は選択しているメニュー項目を長時間記憶しておく必要があり負担が大きくなってしまう。また、操作者が選択しているメニュー項目を忘れてしまった場合には、メニュー項目の設定を再度やり直さざるを得ないため、操作性や利便性の点で問題となる。
【０００５】
そこで、本発明は、メニュー項目を選択や決定する際に、操作者に煩わしさや負担を与えることを防止することができ、利便性や操作性を向上することができる車両用ナビゲーション装置を提供するものである。
【課題を解決するための手段】
【０００６】
請求項１に係る発明は、メニュー項目の選択操作または決定操作がされた時に、該メニュー項目に割り当てられた音声データを音声出力装置に出力する手段を有するナビゲーション装置において、前記メニュー項目の選択操作に対する音声出力中または該音声出力の終了後所定時間以内に前記メニュー項目の決定操作が行われた場合には（例えば、実施の形態におけるステップＳ１８の判定結果がＹＥＳの場合、ステップＳ２０の判定結果がＮＯの場合）、前記メニュー項目の決定操作に対する音声出力を禁止する（例えば、実施の形態におけるステップＳ２６）ことを特徴とする。
【０００７】
この発明によれば、前記メニュー項目の選択操作や決定操作が短時間に行われた場合には、前記メニュー項目の選択操作に対する音声のみが出力されて同一内容の決定操作の音声の出力が禁止されるので、操作者は同じ内容の音声を複数回連続して聞かずに済む。従って、同じ内容の音声が連続して出力されることによる煩わしさを防ぐことができ、利便性を向上することができる。
【０００８】
請求項２に係る発明は、メニュー項目の選択操作または決定操作がされた時に、該メニュー項目に割り当てられた音声データを音声出力装置に出力する手段と、該メニュー項目に割り当てられた画像データを表示装置に出力する手段とを有し、前記メニュー項目の決定操作がされた時には前記音声データを前記音声出力装置に出力すると共に前記メニュー項目の画面に遷移するナビゲーション装置において、前記メニュー項目の選択操作がされてから所定時間以上経過した後に前記メニュー項目の決定操作が行われた場合には（例えば、実施の形態におけるステップＳ３２の判定結果がＹＥＳの場合）、前記メニュー項目の決定操作による画面遷移を行わずに前記メニュー項目に割り当てられた前記音声データの音声出力のみを行い（例えば、実施の形態におけるステップＳ３４）、前記メニュー項目の選択操作がされてから所定時間内に前記メニュー項目の決定操作が行われた場合には（例えば、実施の形態におけるステップＳ３２の判定結果がＮＯの場合）、前記メニュー項目の画面遷移のみを行う（例えば、実施の形態におけるステップＳ２４）ことを特徴とする。
【０００９】
この発明によれば、操作者が前記メニュー項目を選択操作してから運転状態等により所定時間以上操作をしなかった場合には、決定操作が行われても前記音声データの音声出力のみが行われるので、前記メニュー項目に決定してよいかを操作者に確認することが出来る。従って、操作者が選択したメニュー項目の内容を忘れても、今どのメニュー項目を選択しているかを再認識させることができ、操作をやり直す手間を省くことができる。また、操作者は、前記メニュー項目の選択操作をしてから長時間が経過した場合であっても長時間メニュー項目の記憶を強いられることがなく、操作負担を軽減できる。また、選択操作をしてから所定時間以内に決定操作を行った場合には、同じ内容の音声が連続して出力されることによる煩わしさを防ぐことができ、利便性を向上することができる。
【発明の効果】
【００１０】
請求項１に記載した発明によれば、操作者は同じ内容の音声を複数回連続して聞かずに済むので、同じ内容の音声が連続して出力されることによる煩わしさを防ぐことができ、利便性を向上することができる。
請求項２に記載した発明によれば、操作者が選択したメニュー項目の内容を忘れても、今どのメニュー項目を選択しているかを再認識させることができるので、操作をやり直す手間を省くことができ、操作負担を軽減できる。また、同じ内容の音声が連続して出力されることによる煩わしさを防ぐことができ、利便性を向上することができる。
【発明を実施するための最良の形態】
【００１１】
以下、本発明の実施の形態における車両用ナビゲーション装置を図面と共に説明する。図１は本発明の実施の形態における車両用ナビゲーション装置（ナビゲーション装置）７を搭載した車両１の概略構成図である。
前記車両１には、操作装置２と、ＧＰＳセンサ３と、車速センサ４と、スピーカー５と、表示装置６と、ナビゲーション装置７とを備えている。ナビゲーション装置７は、操作装置２、ＧＰＳセンサ３、車速センサ４のそれぞれから信号が入力され、これらの信号に基づいて、スピーカー５や表示装置６に出力を行う。
以下、各装置について説明する。
【００１２】
前記操作装置２は、操作者（この場合は車両の搭乗者）からの入力操作によって操作され、ナビゲーション装置７を介して表示装置６への入力作業を行うことが可能である。メニュー項目の選択操作や決定操作は、操作装置２の入力操作（ＰＵＳＨ操作）により行われる。
【００１３】
ＧＰＳセンサ３は車両１の位置情報を検出するセンサ、車速センサ４は車両１の速度Ｖを検出するセンサであり、それぞれの検出値をナビゲーション装置７に入力する。
ナビゲーション装置７は、データベース８、メモリー９、ＣＰＵ１０、プログラム１１を備えている。データベース８には、表示装置６に表示させる各種項目やその項目内容のデータが記憶されている。前記データベース８には、各データに対応する音声認識語彙を対応づけて記憶している。
【００１４】
また、メモリー９には、データベース８から抽出されたデータや操作装置２から入力された入力済データ、および該データの音声識別語彙等が適宜書込、消去される。このように、出力対象となるデータを一旦メモリー９に保持させることで、音声認識語彙の付与された大容量の文字データ等を短時間で出力することが可能となる。
【００１５】
また、ＣＰＵ１０は、前記プログラム１１に基づいて作動し、データベース８からメモリー９へのデータの抽出処理や、抽出されたデータに対応づけられた音声認識語彙の音声ファイルへの変換処理、スピーカー５や表示装置６への出力処理等を行う。プログラム１１は、操作装置２やＧＰＳセンサ３、車速センサ４からの入力情報に基づいて、ＣＰＵ１０を複数のモード（例えば、走行モードや停止モード）で制御させる。
【００１６】
表示装置６は、ＣＰＵ１０により出力される前記メモリー９上のデータや地図データをその表示画面に表示する。また、メニュー項目の決定操作がされた場合には、該メニュー項目に対応する画面遷移を行う。
スピーカー５は、ＣＰＵ１０により出力される、メニュー項目等の音声ファイルを音声出力する。本実施の形態においては、メニュー項目の選択操作、決定操作に応じてそれぞれスピーカー５から音声出力がされるが、一定の場合には決定操作に対する音声出力が禁止される。これについて図２、図３を用いて説明する。
【００１７】
図２は本発明の実施の形態におけるメニュー項目の選択、決定の処理内容を示すフローチャート図である。同図に示すように、ステップＳ１２で操作者によってメニュー項目の選択操作が行われたかどうかを判定し、判定結果がＹＥＳであればステップＳ１４に進み、判定結果がＮＯであれば再度この判定を行う。ステップＳ１４では、選択されたカーソル位置のメニュー項目を音声出力する。ついで、ステップＳ１６で、上述の選択されたメニュー項目が操作者によって決定操作されたかどうかを判定し、判定結果がＹＥＳであればステップＳ１８に進み、判定結果がＮＯであれば再度この判定を行う。
【００１８】
ステップＳ１８では、メニュー項目の決定操作がされた時にメニュー項目が読み上げ中かどうかを判定し、判定結果がＹＥＳであればステップＳ２６に進み、判定結果がＮＯであればステップＳ２０に進む。
【００１９】
ステップＳ２０では、メニュー項目の決定操作がされた時に、読み上げ後所定時間が経過したかどうかを判定し、判定結果がＹＥＳであればステップＳ２２に進み、判定結果がＮＯであればステップＳ２６に進む。
ステップＳ２２に進む場合には、上述の読み上げ処理から所定時間が経過しているので、操作者に決定操作されたメニュー項目を知らせるために、該メニュー項目の音声出力を開始する。そして、ステップＳ２４で、決定操作されたメニュー項目に対応する画面遷移を行って、一旦処理を終了する。
【００２０】
また、ステップＳ２６に進む場合には、上述の読み上げ処理中か終了後に所定時間が経過していない場合なので、決定操作に対する音声出力がキャンセル（禁止）される。そして、ステップＳ２４に進んでメニュー項目の画面遷移を行い、一旦処理を終了する。
このようにすると、同じ内容の音声が連続して出力されることによる煩わしさを防ぐことができ、利便性を向上することができる。
【００２１】
図３は本発明の実施の形態におけるメニュー項目の選択、決定の他の処理内容を示すフローチャート図である。ステップＳ１４までの処理は、図２に示したものと同様である。そして、ステップＳ１６でメニュー項目の決定操作がされたかどうかを判定し、判定結果がＹＥＳであればステップＳ３２に進み、判定結果がＮＯであれば再度この判定を行う。ステップＳ３２では、メニュー項目の読み上げ処理がされてから所定時間Ｙ以上経過しているかどうかを判定し、判定結果がＹＥＳであればステップＳ３４に進み、判定結果がＮＯであればステップＳ２４に進む。ステップＳ３６で、メニュー項目の画面遷移を行わずに決定操作されたメニュー項目を再度音声出力して、ステップＳ１６の判定を再度行う。このとき、無操作時間Ｔは一旦リセットされる。ここで、無操作時間はステップＳ３４のメニュー項目の再発声終了後から計測されるようにしてもよい。
【００２２】
また、無操作時間Ｔが一定時間Ｙより短い場合には、ステップＳ２４で、メニュー項目に対応する画面遷移をして、一旦処理を終了する。このときには、メニュー項目の音声出力は禁止される。
このようにすると、操作者が選択したメニュー項目の内容を忘れても、今どのメニュー項目を選択しているかを再認識させることができる。また、同じ内容の音声が連続して出力されることによる煩わしさを防ぐことができる。
【図面の簡単な説明】
【００２３】
【図１】本発明の実施の形態におけるナビゲーション装置のブロック図である。
【図２】本発明の実施の形態におけるメニュー項目の選択、決定の処理内容を示すフローチャート図である。
【図３】本発明の実施の形態におけるメニュー項目の選択、決定の他の処理内容を示すフローチャート図である。
【符号の説明】
【００２４】
２  操作装置
５  スピーカー
７  ナビゲーション装置
【図１】
2005055367.tif 000003
【図２】
2005055367.tif 000004
【図３】
2005055367.tif 000005